(57)【要約】【課題】線量計による警告を作業員により確実に報知することを可能にする線量計用アダプタの提供。【解決手段】線量計用アダプタ１は、放射線量を測定し、測定した放射線量が所定の条件に達した場合に光を発する線量計１００が装着されるものであって、増設表示器６が接続される接続部５と、線量計１００が発する光を受光する受光部４と、受光部４が光を受光した場合に、増設表示器６を発光させる制御部２と、を備える。【選択図】図８
2013242188.tif 000002
【特許請求の範囲】
【請求項１】
放射線量を測定し、測定した放射線量が所定の条件に達した場合に光を発する線量計が装着される線量計用アダプタであって、
増設表示器が接続される接続部と、前記線量計が発する光を受光する受光部と、該受光部が前記光を受光した場合に、前記増設表示器を発光させる制御部と、を備えたことを特徴とする線量計用アダプタ。
【請求項２】
前記制御部は、前記受光部が前記光を受光した場合に前記増設表示器を発光させるための信号を前記増設表示器に送出することにより、前記増設表示器を発光させることを特徴とする請求項１に記載の線量計用アダプタ。
【請求項３】
請求項１又は２に記載の線量計用アダプタと、
前記接続部に接続された増設表示器と、を備える表示器増設ユニットであって、
前記増設表示器は、襷掛け可能に、又は、腕に装着可能に構成されていることを特徴とする表示器増設ユニット。
【発明の詳細な説明】
【技術分野】
【０００１】
本発明は、放射線量を測定し、測定した放射線量が所定の条件に達した場合に警告を発する線量計に用いられる線量計用アダプタ、及び、該線量計用アダプタを含む表示器増設ユニットに関する。
【背景技術】
【０００２】
放射線量を測定し、例えば、測定した累積放射線量が所定値に達すると、音や光により警告を発する線量計がある。この線量計は、原子力発電所等の放射線管理区域内で作業員により使用される。図９は、線量計の斜視図である。線量計１００は、線量計１００を通過する放射線量を測定するとともに、測定した放射線量の累積値を算出する。測定した放射線量の累積値（累積放射線量）は、表示部１０１に表示される。また、線量計１００は、算出した累積放射線量が所定の値に達した場合に、スピーカー１０２の音の再生による警告、発光部（ＬＥＤ）１０３の光の発光による警告、のいずれか、または、両方の警告を行う。
【０００３】
特許文献１には、線量計により再生された音を取得した場合に、作業員に累積放射線量が所定の値に達したことを報知するための警告ロープを発光させる線量計拡張ユニットが開示されている。この線量計拡張ユニットによれば、作業員が音による警告に気付かなかった場合でも、警告ロープの発光により、作業員は、累積放射線量が所定の値に達したことに気付くことができるという利点がある。
【先行技術文献】
【特許文献】
【０００４】
【特許文献１】特開２０１０−１５１５４７号公報
【発明の開示】
【発明が解決しようとする課題】
【０００５】
作業員が作業をしている現場では、さまざまな音が発生していることがあるため、特許文献１に開示の線量計拡張ユニットにおいては、線量計が再生した音以外の周囲の雑音等の音により、誤動作で警告ロープが発光するという問題がある。
【０００６】
そこで、本発明は、線量計による警告を作業員により確実に報知することを可能にする線量計用アダプタ及び表示器増設ユニットを提供することを目的とする。
【課題を解決するための手段】
【０００７】
本発明の線量計用アダプタは、放射線量を測定し、測定した放射線量が所定の条件に達した場合に光を発する線量計が装着される線量計用アダプタであって、増設表示器が接続される接続部と、前記線量計が発する光を受光する受光部と、該受光部が前記光を受光した場合に、前記増設表示器を発光させる制御部と、を備える。
【０００８】
本発明によると、線量計により測定された放射線量が所定の条件に達し、線量計が発する光が受光された場合に、外部の増設表示器が発光されるので、雑音等によって増設表示器が発光するという誤動作が起こることが少なくなって放射線量が所定の条件に達したことをより確実に作業員に報知することができる。
【０００９】
また、前記制御部は、前記受光部が前記光を受光した場合に前記増設表示器を発光させるための信号を前記増設表示器に送出することにより、前記増設表示器を発光させることが好ましい。
【００１０】
本発明の表示器増設ユニットは、前記線量計用アダプタと、前記接続部に接続された増設表示器と、を備える表示器増設ユニットであって、前記増設表示器は、襷掛け可能に、又は、腕に装着可能に構成されている。
【００１１】
本発明によると、増設表示器が、作業員に襷掛けされる、又は、腕に装着されることにより、それぞれ、作業員の肩から胸にかけて、又は、腕に存在するので、放射線量が所定の条件に達したことをさらに確実に作業員に報知することができる。
【発明の効果】
【００１２】
本発明によると、線量計により測定された放射線量が所定の条件に達し、線量計が発光する光が受光された場合に、外部の増設表示器が発光されるので、雑音等によって増設表示器が発光するという誤動作が起こることが少なくなって放射線量が所定の条件に達したことをより確実に作業員に報知することができる。
【図面の簡単な説明】
【００１３】
【図１】本発明の実施形態に係る線量計用アダプタの斜視図である。
【図２】本発明の実施形態に係る線量計用アダプタに、線量計を装着した状態を示した図である。
【図３】本発明の実施形態に係る線量計用アダプタの受光部近傍の水平方向の断面図である。
【図４】増設表示器の一例を示す模式図である。
【図５】増設表示器の他の例を示す模式図である。
【図６】増設表示器の他の例を示す模式図である。
【図７】増設表示器の他の例を示す模式図である。
【図８】本発明の実施形態に係る線量計用アダプタの構成を示すブロック図である。
【図９】線量計の斜視図である。
【発明を実施するための最良の形態】
【００１４】
以下、本発明の好適な実施形態について、図面を参照しつつ説明する。
【００１５】
線量計用アダプタ１は、図１に示すように、略直方体状の筐体１１を備えており、筐体１１には線量計１００を装着可能な装着凹部１２が形成されている。装着凹部１２は、線量計１００の底面を支持する矩形平面状の底板１３と、底板１３から垂直に立ち上がり、線量計１００の長さ方向の一側面を支持する第１側壁１４と、底板１３から垂直に立ち上がり、線量計１００の幅方向の一側面を支持する第２側壁１５と、幅方向の他側面を支持する第３側壁１６と、所定幅を有し、底板１３から水平方向に延びて所定位置から垂直に立ち上がり、線量計１００の長さ方向の他側面の一部を支持する延長片１７と、から形成される。第２側壁１５の内側面には、線量計１００の発光部１０３に対向する位置近傍を除いて、装着された線量計１００がずれないよう保持するためのスポンジ１８が設けられている。筐体１１には、線量計１００を固定するためのバンド１９が設けられている。バンド１９の端部には、面ファスナー２０が設けられており、筐体１１裏面に設けられた面ファスナー（不図示）との結合により、図２に示すように、装着凹部１２に装着された線量計１００がバンド１９に巻かれて固定される。線量計１００及び線量計用アダプタ１は、主に、作業員の作業服のポケットに収容されて使用される。
【００１６】
第２側壁１５には、線量計用アダプタ１に線量計１００が装着された状態で、線量計１００の幅方向の一側面に設けられた発光部１０３に対向する位置に受光部４が設けられている。図３は、受光部４近傍の水平方向の断面図である。受光部４は、基板２１と、受光素子２２と、を備え、受光素子２２は、基板２１上に配置され、線量計１００の発光部１０３からの光を受光可能である。基板２１の外側は蓋２３で覆われている。このように、発光部１０３と受光素子２２とが近接対向され、且つ、スポンジ１８が線量計用アダプタ１と線量計１００との隙間から受光素子に外光が進入するのを防止するので、受光素子２２は、外光の影響をほとんど受けない。
【００１７】
筐体１１の幅方向の一方側の側面の一端には、後述する増設表示器が接続される接続部５が設けられている。接続部５は、オスコネクタにより構成され、接続部５を介して増設表示器に送出される信号により、増設表示器の発光が制御される。なお、筐体１１内に、電池（不図示）を収容可能となっており、電池からの電力供給により、線量計用アダプタ１は、動作可能となっている。
【００１８】
図４は、増設表示器の一例を示す模式図である。増設表示器６は、被接続部２４と、ケーブル２５と、長さ調整部２６と、可撓性を有するチューブ２７と、複数の発光素子２８と、を備える。被接続部２４は、メスコネクタから構成され、線量計用アダプタ１の接続部５に接続される。接続部５と被接続部２４とは着脱可能である。ケーブル２５は、被接続部２４とチューブ２７とを接続している。長さ調整部２６は、チューブ２７の一端部と他端部とが挿入され、長さ調整部２６とチューブ２７とにより形成される環の長さを調整可能である。長さ調整部２６と可撓性を有するチューブ２７とにより環が形成されているので、作業員は、チューブ２７を襷掛けにして、増設表示器６を肩から胸に装着可能である。なお、図４のような環状形状とした場合、チューブ２７は可撓性を有することが好ましいが、可撓性を有していなくてもよい。可撓性を有していない場合、チューブ２７で形成された環の最大径を、装着部位（例えば作業者胸部）の径よりも大きくしておけばよい。発光素子２８は、透光性を有するチューブ２７内に複数配置されており、被接続部２４、ケーブル２５、チューブ２７を介して入力される線量計用アダプタ１からの信号に応じて発光する。発光素子２８としては、消費電力の小さいＬＥＤが好適に使用可能である。線量計１００及び線量計用アダプタ１は、主に、作業員のポケットに収容されて使用されるが、増設表示器６は、作業員が発光に気付きやすいように、ポケットの外に出して（ここでの例では襷掛けにして）使用される。増設表示器６が作業員に襷掛けにされると、増設表示器６は、作業員の肩から胸にかけて位置することとなる。増設表示器６は、線量計用アダプタ１に対して、着脱可能となっているため、増設表示器６が故障した場合等は、増設表示器６のみを交換することもできる。
【００１９】
増設表示器の他の例として、増設表示器６のチューブ２５に替えて、図５に示すように、樹脂製の可撓性を有するＣ字形状のフィルム２９とした増設表示器７が挙げられる。フィルム２９は、様々な形状に塑性変形可能であり、変形した形状を保持可能である。したがって、フィルム２９を所定の長さとしたことにより、チューブのように環を作らずとも、作業員に襷掛けすることができる。なお、フィルム２９を非環状形状とした場合、弾性変形可能な材料から形成してもよい。その場合、図５に示すように、開口部分の径が最大径よりも小さくなったＣ字形状とすることが装着安定性の観点から好ましい。さらに、特に襷掛けする用途で使用する場合、最大径を作業者の胸部よりも大きく、且つ、開口部分の径を作業員の胸部よりも小さくしておけば、Ｃ字形状のフィルム２９は可撓性を有していなくてもよい。また、図６に示す増設表示器８は、図５に示すフィルム２９と同じく塑性変形が可能であり、フィルム３０に幅を持たせ、腕に巻きつけ可能な長さとしたことにより、作業員の腕への装着に好適な例である。さらに、図７に示す増設表示器９は、図５に示すフィルム２９と同じく塑性変形が可能であり、図６に示す増設表示器８よりもフィルム３１に幅を持たせ、腕の一部（半回程度）と同じ程度の長さとしたものであり、作業員の腕への装着に好適な他の例である。チューブに替えてフィルムを用いた場合、発光素子２８は、フィルム上に設けることができる。
【００２０】
線量計用アダプタ１と増設表示器６、７、８、９のいずれかにより、本発明の実施形態に係る表示器増設ユニットが構成される。なお、以下では、増設表示器について、代表的な例である増設表示器６を用いて説明を行う。
【００２１】
図８は、本発明の実施形態に係る線量計用アダプタ１の構成を示すブロック図である。線量計用アダプタ１は、制御部２と、記憶部３と、受光部４と、接続部５と、電源部３２と、増幅部３３と、を備える。制御部２は、記憶部３に格納された制御プログラムに従って、線量計用アダプタ１の各部を制御する。記憶部３は、制御プログラムの他、線量計１００からの光を受光したか否かを判断するための閾値が格納されている。受光部４は、光を受光した場合は電気信号を増幅部３３に出力し、増幅部３３は、電気信号を増幅して制御部２に出力する。接続部５は、制御部２と電気的に接続されており、制御部２が、線量計１００からの光を受光したと判断した場合に、この接続部５を介して、増設表示器６を発光させるための信号が出力される。電源部３２は、図示しない電池から供給される電力を線量計用アダプタ各部に供給する。電源部３２により各部に供給される電力は、増幅部３３により増幅される。
【００２２】
以下に増設表示器６を発光させる処理について説明する。制御部２は、受光部４から出力される増幅部３３により増幅された電気信号と記憶部３に記憶されている閾値を比較し、受光部４が線量計１００の発光部１０３が発する光を受光したと判断した場合、増設表示器６を発光させる。具体的には、制御部２は、接続部５を介して、増設表示器６を発光させるための信号を出力する。増設表示器６は、線量計用アダプタ１からの信号を受信すると、発光素子２８を発光する。
【００２３】
以上説明したように、本発明の実施形態に係る線量計用アダプタ１は、放射線量を測定し、測定した放射線量が所定の条件に達した場合に光を発する線量計１００が装着されるものであって、増設表示器６が接続される接続部５と、線量計１００が発する光を受光する受光部４と、受光部４が光を受光した場合に、増設表示器６を発光させる制御部２と、を備える。
【００２４】
したがって、線量計１００により測定された放射線量が所定の条件に達し、線量計１００が発する光が受光された場合に、外部の増設表示器６が発光されるので、雑音等によって増設表示器６が発光するという誤動作が起こることが少なくなって放射線量が所定の条件に達したことをより確実に作業員に報知することができる。
【００２５】
また、制御部２は、受光部４が光を受光した場合に増設表示器６を発光させるための信号を増設表示器６に送出することにより、増設表示器６を発光させる。
【００２６】
また、本発明の実施形態に係る表示器増設ユニットは、線量計用アダプタ１と増設表示器６、７、８、９のいずれかを備え、増設表示器６、７は、襷掛け可能に、増設表示器８、９は腕に装着可能に構成されている。
【００２７】
したがって、増設表示器が、作業員に襷掛けされる、又は、腕に装着されることにより、それぞれ、作業員の肩から胸にかけて、又は、腕に存在するので、放射線量が所定の条件に達したことをさらに確実に作業員に報知することができる。
【符号の説明】
【００２８】
１    線量計用アダプタ
２    制御部
３    記憶部
４    受光部
５    接続部
６，７，８，９    増設表示器
１００    線量計
【図１】
2013242188.tif 000003
【図２】
2013242188.tif 000004
【図３】
2013242188.tif 000005
【図４】
2013242188.tif 000006
【図５】
2013242188.tif 000007
【図６】
2013242188.tif 000008
【図７】
2013242188.tif 000009
【図８】
2013242188.tif 000010
【図９】
2013242188.tif 000011